(57)【特許請求の範囲】
【請求項１】
接点部の切り換えを行うスイッチ機構を有するスイッチに設けられ、接点部に電気的に接続され接点部の切り換え状態に応じて点灯状態が切り替わる点灯表示部と、点灯表示部が取り付けられスイッチ内部に収納される照光ブロック本体とを備え、点灯表示部は発光素子及び発光素子に流れる電流を制限するための抵抗素子を有し、抵抗素子の両端がそれぞれ電気的に接続される電極部を照光ブロック本体に設けるとともに、先端が所定の間隔をおいて対向する突起を各電極部にそれぞれ設け、且つ、突起の先端と抵抗素子との間を仕切る隔壁を照光ブロック本体に設けたことを特徴とするスイッチ用照光ブロック。
【請求項２】
接点部の切り換えを行うスイッチ機構を有するスイッチに設けられ、接点部に電気的に接続され接点部の切り換え状態に応じて点灯状態が切り替わる点灯表示部と、点灯表示部が取り付けられスイッチ内部に収納される照光ブロック本体とを備え、点灯表示部は発光素子及び発光素子に流れる電流を制限するための抵抗素子を有し、抵抗素子の両端がそれぞれ電気的に接続される電極部を照光ブロック本体に設けるとともに、先端が所定の間隔をおいて対向する突起を各電極部にそれぞれ設け、且つ、照光ブロック本体における両突起の間の部位を、両突起間の沿面距離が長くなるような形状に形成したことを特徴とするスイッチ用照光ブロック。
【請求項３】
各突起の対向する部位を尖らせたことを特徴とする請求項１又は２記載のスイッチ用照光ブロック。
【発明の詳細な説明】
【０００１】
【発明の属する技術分野】
本発明は、スイッチの位置表示や動作表示を行うためのスイッチ用照光ブロックに関するものである。
【０００２】
【従来の技術】
従来より、押釦ハンドルの押圧操作により、内部に収納された接点部を切り換えるようにしたスイッチが提供されており、このようなスイッチの内部に、接点状態に応じて発光する発光素子を有するスイッチ用照光ブロックを収納し、スイッチの位置表示や動作表示を行うものがあった。
【０００３】
このスイッチの内部回路図を図１３に示す。このスイッチは、端子ｔ０に接続される共通接点Ｉが、端子ｔ１に接続される接点Ｇ、又は、端子ｔ３に接続される接点Ｈの何れかに切り換えて接続される接点部Ｓを有しており、接点Ｇと接点Ｈの間には抵抗素子Ｒ１及び発光素子たるネオンランプＬＰの直列回路と、抵抗素子Ｒ２との並列回路が接続される。ここに、抵抗素子Ｒ１，Ｒ２及びネオンランプＬＰからスイッチ用照光ブロック１が構成される。尚、ネオンランプＬＰと直列に接続されたランプ電流制限用の抵抗素子Ｒ１の抵抗値は約１８０ｋΩ、抵抗素子Ｒ２の抵抗値は約２ＭΩにそれぞれ設定されている。
【０００４】
例えば、端子ｔ０，ｔ１間に照明器具などの負荷Ｌと電源ＡＣとが直列に接続されている場合に、共通接点Ｉが接点Ｇに接続されると、電源ＡＣ→負荷Ｌ→端子ｔ０→共通接点Ｉ→接点Ｇ→端子ｔ１→電源ＡＣの閉ループ回路が形成され、負荷Ｌに電源ＡＣが供給されて負荷Ｌが動作する。一方、接点部Ｓの接点状態が反転し、共通接点Ｉが接点Ｈに接続されると、電源ＡＣ→負荷Ｌ→端子ｔ０→共通接点Ｉ→接点Ｈ→ネオンランプＬＰ→抵抗素子Ｒ１→端子ｔ１→電源ＡＣの閉ループ回路が形成され、ネオンランプＬＰが点灯する。尚、抵抗素子Ｒ１の抵抗値は十分大きな値（約１８０ｋΩ）に設定されており、負荷Ｌにはわずかな電流しか流れないため、負荷Ｌは動作せず、ネオンランプＬＰのみが点灯する。
【０００５】
【発明が解決しようとする課題】
上記構成のスイッチ用照光ブロック１では、例えば負荷Ｌのオフ時に接点切換時のサージ電圧や雷サージなどの高圧のサージ電圧が電源ラインに重畳すると、抵抗素子Ｒ１，Ｒ２の両端間に高電圧が印加され、抵抗素子Ｒ１，Ｒ２（特に抵抗値の低いランプ電流制限用の抵抗素子Ｒ１）が破損するという問題があった。
【０００６】
本発明は上記問題点に鑑みて為されたものであり、その目的とするところは、高圧のサージ電圧が印加された際にランプ電流制限用の抵抗素子が破損するのを防止したスイッチ用照光ブロックを提供することにある。
【０００７】
【課題を解決するための手段】
上記目的を達成するために、請求項１の発明では、接点部の切り換えを行うスイッチ機構を有するスイッチに設けられ、接点部に電気的に接続され接点部の切り換え状態に応じて点灯状態が切り替わる点灯表示部と、点灯表示部が取り付けられスイッチ内部に収納される照光ブロック本体とを備え、点灯表示部は発光素子及び発光素子に流れる電流を制限するための抵抗素子を有し、抵抗素子の両端がそれぞれ電気的に接続される電極部を照光ブロック本体に設けるとともに、先端が所定の間隔をおいて対向する突起を各電極部にそれぞれ設け、且つ、突起の先端と抵抗素子との間を仕切る隔壁を照光ブロック本体に設けたことを特徴とし、接点切換時のサージ電圧や雷サージなどの高圧のサージ電圧が抵抗素子の両端間に印加されると、抵抗素子が破損する前に両突起間に放電電流が流れるので、抵抗素子の両端間に印加されたサージ電圧を逃がすことができ、抵抗素子が破損するのを防止できる。しかも、各電極部に設けられた突起間に放電電流が流れる際にアーク熱が発生するが、このアーク熱が抵抗素子に加えられるのを隔壁によって防止することができ、アーク熱による抵抗素子の劣化を防止できる。
【０００８】
請求項２の発明では、接点部の切り換えを行うスイッチ機構を有するスイッチに設けられ、接点部に電気的に接続され接点部の切り換え状態に応じて点灯状態が切り替わる点灯表示部と、点灯表示部が取り付けられスイッチ内部に収納される照光ブロック本体とを備え、点灯表示部は発光素子及び発光素子に流れる電流を制限するための抵抗素子を有し、抵抗素子の両端がそれぞれ電気的に接続される電極部を照光ブロック本体に設けるとともに、先端が所定の間隔をおいて対向する突起を各電極部にそれぞれ設け、且つ、照光ブロック本体における両突起の間の部位を、両突起間の沿面距離が長くなるような形状に形成したことを特徴とし、接点切換時のサージ電圧や雷サージなどの高圧のサージ電圧が抵抗素子の両端間に印加されると、抵抗素子が破損する前に両突起間に放電電流が流れるので、抵抗素子の両端間に印加されたサージ電圧を逃がすことができ、抵抗素子が破損するのを防止できる。しかも、両突起の間の沿面距離を長くすることによって、両突起を保持する部位の絶縁抵抗を高めて、短絡が発生するのを防止できる。
【０００９】
請求項３の発明では、請求項１又は２の発明において、各突起の対向する部位を尖らせたことを特徴とし、請求項１又は２の発明の作用に加えて、突起の対向する部位を尖らせることによって電界集中が発生し、抵抗素子の両端間に高圧のサージ電圧が印加された際に、突起間に放電電流が流れやすくなり、抵抗素子が破損するのを確実に防止できる。
【００１２】
【発明の実施の形態】
先ず、本発明に係るスイッチ用照光ブロックの基本構成について説明する。基本構成のスイッチ用照光ブロックを組み込んだピアノハンドル式スイッチの分解斜視図を図２に、正面図を図３に、側面図を図４に、上面図を図５に、正面から見た断面図を図６にそれぞれ示す。尚、図１乃至図６は押釦スイッチにピアノハンドルを取り付けていない状態を示している。
【００１３】
このピアノハンドル式スイッチは、押釦ハンドル１３の押圧操作により、内部に収納された接点部Ｓの切り換えが行われる押釦スイッチ１０と、この押釦スイッチ１０の上面に一端部が回動自在に枢支され、他端部を押圧することにより押釦ハンドル１３を押圧操作するピアノハンドル５０とで構成される。
【００１４】
押釦スイッチ１０の器体は、一面開口した略箱状の合成樹脂製のボディ１１と、ボディ１１の前面に被着される合成樹脂製のカバー１２とで形成されており、ＪＩＳ規格などで規格化された既製の埋込型配線器具の１個モジュール寸法に形成してある。尚、ボディ１１とカバー１２との結合は、カバー１２より垂下した係止片１４の係止孔１４ａに、ボディ１１の側面に形成してある係止突起１５を係止させることによって行っており、係止時には係止片１４の弾性と係止突起１５の上端に形成された傾斜面１５ａを利用して簡単に係止できるようになっている。
【００１５】
押釦スイッチ１０の表面側の部材であるカバー１２には、既製の埋込型配線器具を埋設する場合に用いる規格化された取付枠６０に着脱自在に取付可能とするために、長手方向における両端面に一対の係止爪１６を夫々突設してあり、一方の係止爪１６の背部には空所１７を形成し、係止爪１６が背方へ弾性的に撓むようにしてある。したがって、既製の配線器具用の取付枠６０に設けられた孔と係止爪１６とを係止させて押釦スイッチ１０を着脱自在に取り付けることができ、既製の埋込型の配線器具と同様にして壁面などの造営面に埋設できるようにしてある。
【００１６】
また、押釦スイッチ１０のボディ１１内の一端部には接続端子収納部１８が、他端部には接続端子収納部１９が夫々形成してあり、更に中央部には接点部Ｓを収納する接点収納部２０が形成してある。そして、一端部の接続端子収納部１８には共通端子板２１、鎖錠ばね２４及び解除釦２５からなる速結端子が収納され、他端部の接続端子収納部１９には、端子板２２及び鎖錠ばね２４からなる接続端子部と、端子板２３及び鎖錠ばね２４からなる接続端子部と、解除釦（図示せず）とが収納されている。各接続端子収納部１８，１９の底面には、ボディ１１の底面側から電線を挿入するための一対の電線挿通孔２６と、ボディ１１の底面側からドライバなどの工具を挿入して各接続端子収納部１８，１９内に収納された解除釦２５を操作し、鎖錠ばね２４と電線との接続状態を解除するための操作孔２７とが穿設されている。
【００１７】
ここで、端子板２２の先端部には固定接点２８が固着し、端子板２３の先端部には固定接点２９が固着してある。また共通端子板２１からは接点収納部２０内に支持片２１ａが延出してあり、導電体から形成された開閉体３０が支持片２１ａ上に回動自在に立設されている。ここで、開閉体３０の両端下部に突設された突部（図示せず）は、接点収納部２０の内側壁に形成されたＶ状凹部３１にはめ込まれており、開閉体３０はＶ状凹部３１の下部を中心として回動自在になっている。
【００１８】
開閉体３０の先端部両側には、固定接点２８，２９とそれぞれ接離自在に接触する可動接点３２ａ，３２ｂが設けられており、開閉体３０の回動に応じて、固定接点２８と可動接点３２ａの接触、および固定接点２９と可動接点３２ｂの接触を切り換える。ここに、可動接点３２ａ，３２ｂ及び固定接点２８，２９により接点部Ｓが構成され、この接点部Ｓの切り換えを行うための開閉体３０は反転ハンドル３３の反転回動により操作されるように構成してある。
【００１９】
すなわち、反転ハンドル３３の下部には下方に開口した筒部３４が形成されており、筒部３４にはコイルスプリング３７の上部が納められ、コイルスプリング３７の下部が開閉体３０の上縁に突設された突起３０ａに係止され、反転ハンドル３３の回動に応じて開閉体３０を反転駆動するようになっている。反転ハンドル３３は、両側に設けた三角形状の軸３５をカバー１２の内壁に形成された軸受３８に枢支して、カバー１２に回動自在に取り付けられており、上部の両端にスライドカム３９に掛合する掛合突起３６を突設してある。また押釦ハンドル１３はカバー１２に上下動自在に取り付けられ、下方に配置される復帰ばね４２により常時上方に付勢されている。
【００２０】
スライドカム３９は両端下面に反転ハンドル３３の掛合突起３６に摺動係合する掛合カム体４０が形成され、押釦ハンドル１３の下面側において摺動自在に取り付けられており、内部に形成された略ハ字状の一対のばね片４１の間に押釦ハンドル１３の下面に形成された突起１３ａが挿入され、このばね片４１で復帰力を与えている。
【００２１】
押釦スイッチ１０の器体を構成するカバー１２の表面側端部には横向きとなった軸部４３が所定間隔を開けて２つ一体に突設してあり、これらの軸部４３は上部が横向きの略円柱形状をしている。一方、ピアノハンドル５０は、図３に示すように、裏面部の一端部に下開口がはめ込み用開口部となった穴５２と、金属製の軸受け用ばね体５３とで構成される軸受け部５１が設けてある。穴５２は内壁の片側に係止穴５４を設け、穴５２に収納される軸受け用ばね体５３の抜け止め爪５５を係止して軸受け用ばね体５３を固持している。軸受け用ばね体５３は先端を穴５２内へ突出するように曲げ形成し、この突出部５６と穴５２とで軸部４３を支持するようになっている。尚、下方に開口した穴５２のはめ込み用開口部は上記突出部５６とで軸受け部５１の内部よりも幅狭としており、押釦スイッチ１０の上部に設けた軸部４３を軸受け部５１に弾性的にはめ込むと、軸部４３と軸受け部５１との枢支結合が外れないようになっている。また、ピアノハンドル５０の他端には背方に向けて抜け止め用の抜止片５７を突設してあり、抜止片５７は空所１７内に挿入され、ピアノハンドル５０が回動しても抜止片５７の先端が空所１７から抜けないようになっている。
【００２２】
上記のようにピアノハンドル５０が押釦スイッチ１０に取り付けられるのであるが、ピアノハンドル５０を押圧操作すると、軸部４３と軸受部５１との軸支部を中心にしてピアノハンドル５０がピアノタッチ式に回動する。そして、このピアノハンドル５０の回動により、押釦スイッチ１０の押釦ハンドル１３が押圧操作される。
【００２３】
この押釦スイッチ１０の動作を簡単に説明する。図６及び図８に示す状態は固定接点２９が可動接点３２ｂに接している状態である。この状態で、ピアノハンドル５０を操作すると、ピアノハンドル５０の操作に伴って押釦ハンドル１３が復帰ばね４２に抗して押し下げられ、押釦ハンドル１３の押し下げによりスライドカム３９が下降する。そして、スライドカム３９の図中左側の掛合カム体４０が、反転ハンドル３３の左側の掛合突起３６に当たることにより、反転ハンドル３３が回動する。このとき、反転ハンドル３３の回動に伴ってスライドカム３９が図中の左側にスライドする。このようにして反転ハンドル３３が反転回動されると、コイルスプリング３７が反転して開閉体３０が反転し、可動接点３２ｂが固定接点２９から離れてオフ状態になるとともに、可動接点３２ａが固定接点２８に接触する。
【００２４】
この反転後、ピアノハンドル５０の押し下げ力を解除すると、復帰ばね４２で押釦ハンドル１３が押し上げられ、ピアノハンドル５０が元の状態に戻る。そして、これと同時にスライドカム３９もばね片４１のばね力で中央部に摺動復帰する。この状態から再びピアノハンドル５０を押し下げ操作すると、上記とは逆に反転ハンドル３３が回動して可動接点３２ａが固定接点２８から離れるとともに、可動接点３２ｂが固定接点２９に接触してオン状態になる。
【００２５】
ところで、上述したスイッチ用照光ブロック１は、図１に示すように抵抗素子Ｒ１の一方の端子と電気的に接続される接続端子３ａが設けられた端子片３と、抵抗素子Ｒ２の一方の端子と電気的に接続される接続端子４ａが設けられた端子片４と、抵抗素子Ｒ１，Ｒ２の他方の端子に電気的に接続される接続端子５ａ，５ｂがそれぞれ設けられた端子片５と、各端子片３〜５がインサート成形された樹脂成形品からなる照光ブロック本体２とを備えている。各端子片３，４，５はそれぞれ導電性材料から形成され、各端子片３，４，５の接続端子３ａ，４ａ，５ａ，５ｂは照光ブロック本体２の表面に露出している。また端子片３，４には、それぞれ、ネオンランプＬＰの一対の端子６がそれぞれかしめ接続されるかしめ固定片３ｂ，４ｂが連続一体に形成されており、かしめ固定片３ｂ，４ｂは照光ブロック本体２の一端面から露出している。また端子片４，５には、それぞれ、端子板２２，２３の上面と弾接して接点部Ｓに電気的に接続するための接触ばね片（接続端子）４ｃ，５ｃが連続一体に設けられており、各接触ばね片４ｃ，５ｃは照光ブロック本体２の一端面から露出している。
【００２６】
そして、このスイッチ用照光ブロック１は、各かしめ固定片３ｂ，４ｂにネオンランプＬＰの端子６をかしめ固定した状態で、接触ばね片４ｃ，５ｃがそれぞれ端子板２２，２３に電気的に接続されるように、端子板２２，２３の上部に載置され、カバー１２により上部から押圧されて固定される。これにより、照光ブロック１の接触ばね片４ｃ，５ｃは上記した固定接点２８，２９と電気的に接続される。そして、２つの軸部４３の中間部にある略長方形状のレンズ部４４と、レンズ部４４に対応してピアノハンドル５０に設けられた透光部（図示せず）とを介して、スイッチ用照光ブロック１のネオンランプＬＰからの光が外部に出されるのである。尚、スイッチ用照光ブロック１では発光素子にネオンランプＬＰを用いているが、発光素子をネオンランプＬＰに限定する趣旨のものではなく、発光ダイオードなどの発光素子を用いても良い。
【００２７】
ここで、ランプ電流制限用の抵抗素子Ｒ１の両方の端子がそれぞれ実装される電極部たる接続端子３ａ，５ａには、先端が所定の間隔をおいて対向する突起３ｃ，５ｄが連続一体に形成されており、各突起３ｃ，５ｄは照光ブロック本体２の表面から露出している。突起３ｃ，５ｄの間の距離は、接点切換時に発生するサージ電圧や雷サージなどの高圧のサージ電圧が抵抗素子Ｒ１の両端間に印加された際に、抵抗素子Ｒ１が破損する前に両突起３ｃ，５ｄ間で絶縁破壊が発生して、放電電流が流れるような間隔に設定されているので、抵抗素子Ｒ１の両端間に印加されたサージ電圧を逃がすことができ、サージ電圧によって抵抗素子Ｒ１が破損するのを防止できる。
【００２８】
尚、基本構成のスイッチ用照光ブロック１では突起３ｃ，５ｄの対向面を略平面状に形成しているが、図９（ａ）（ｂ）に示すように、両突起３ｃ，５ｄの対向する部位の形状を尖らせても良く、抵抗素子Ｒ１の両端間にサージ電圧が印加された際に、両突起３ｃ，５ｄの尖端部に電界集中が発生して、突起３ｃ，５ｄ間に放電電流が流れやすくなり、抵抗素子Ｒ１の破損を確実に防止できる。
【００２９】
（実施形態）
ところで、基本構成のスイッチ用照光ブロック１では、抵抗素子Ｒ１の両端間に高圧のサージ電圧が印加されると、抵抗素子Ｒ１が破損する前に突起３ｃ，５ｄ間にアークが発生し、抵抗素子Ｒ１の両端間に印加されるサージ電圧を逃がして、抵抗素子Ｒ１が破損するのを防止しているが、アーク発生時のアーク熱によって抵抗素子Ｒ１が劣化する虞がある。
【００３０】
そこで、本実施形態では、基本構成のスイッチ用照光ブロック１において、図１０に示すように突起３ｃ，５ｄの先端と抵抗素子Ｒ１との間を仕切る保護壁（隔壁）８を照光ブロック本体２に設けており、保護壁８によってアーク発生時のアーク熱が抵抗素子Ｒ１に加えられるのを防止して、抵抗素子Ｒ１が劣化するのを防止できる。尚、隔壁８以外の構成は基本構成のスイッチ用照光ブロック１と同様であるので、同一の構成要素には同一の符号を付して、その説明を省略する。
【００３１】
ここで、照光ブロック本体２は樹脂成形品から形成されているので、アーク発生時のアーク熱によって照光ブロック本体２の保護壁８が炭化して、突起３ｃ，５ｄ間が短絡する虞がある。そこで、図１１に示すように、保護壁８における突起３ｃと突起５ｄとの間の部位に溝９を形成しても良く、溝９を形成することによって突起３ｃ，５ｄ間の沿面距離を長くすることができ、突起３ｃ，５ｄを保持する部位の絶縁抵抗を高めて、両突起３ｃ，５ｄ間が短絡するのを防止することができる。尚、本実施形態では溝９を設けることによって両突起３ｃ，５ｄ間の沿面距離を長くしているが、両突起３ｃ，５ｄ間の沿面距離を長くするような形状を溝９に限定する趣旨のものではなく、保護壁８の表面に突部を形成するなどして、沿面距離を長くしても良い。
【００３２】
また、本実施形態では、突起３ｃ，５ｄの先端と抵抗素子Ｒ１との間を仕切る保護壁８を照光ブロック本体２に設けることによって、アーク熱による抵抗素子Ｒ１の劣化を防止しているが、保護壁８を設ける代わりに、図１２に示すように照光ブロック本体２における抵抗素子Ｒ１が実装された部位を封止樹脂７で封止しても良く、アーク発生時のアーク熱によって抵抗素子Ｒ１が劣化するのを防止できる。
【００３３】
【発明の効果】
上述のように、請求項１の発明は、接点部の切り換えを行うスイッチ機構を有するスイッチに設けられ、接点部に電気的に接続され接点部の切り換え状態に応じて点灯状態が切り替わる点灯表示部と、点灯表示部が取り付けられスイッチ内部に収納される照光ブロック本体とを備え、点灯表示部は発光素子及び発光素子に流れる電流を制限するための抵抗素子を有し、抵抗素子の両端がそれぞれ電気的に接続される電極部を照光ブロック本体に設けるとともに、先端が所定の間隔をおいて対向する突起を各電極部にそれぞれ設け、且つ、突起の先端と抵抗素子との間を仕切る隔壁を照光ブロック本体に設けたことを特徴とし、接点切換時のサージ電圧や雷サージなどの高圧のサージ電圧が抵抗素子の両端間に印加されると、抵抗素子が破損する前に両突起間に放電電流が流れるので、抵抗素子の両端間に印加されたサージ電圧を逃がすことができ、抵抗素子が破損するのを防止できるという効果がある。しかも、各電極部に設けられた突起間に放電電流が流れる際にアーク熱が発生するが、このアーク熱が抵抗素子に加えられるのを隔壁によって防止することができ、アーク熱による抵抗素子の劣化を防止できるという効果がある。
【００３４】
請求項２の発明は、接点部の切り換えを行うスイッチ機構を有するスイッチに設けられ、接点部に電気的に接続され接点部の切り換え状態に応じて点灯状態が切り替わる点灯表示部と、点灯表示部が取り付けられスイッチ内部に収納される照光ブロック本体とを備え、点灯表示部は発光素子及び発光素子に流れる電流を制限するための抵抗素子を有し、抵抗素子の両端がそれぞれ電気的に接続される電極部を照光ブロック本体に設けるとともに、先端が所定の間隔をおいて対向する突起を各電極部にそれぞれ設け、且つ、照光ブロック本体における両突起の間の部位を、両突起間の沿面距離が長くなるような形状に形成したことを特徴とし、接点切換時のサージ電圧や雷サージなどの高圧のサージ電圧が抵抗素子の両端間に印加されると、抵抗素子が破損する前に両突起間に放電電流が流れるので、抵抗素子の両端間に印加されたサージ電圧を逃がすことができ、抵抗素子が破損するのを防止できるという効果がある。しかも、両突起の間の沿面距離を長くすることによって、両突起を保持する部位の絶縁抵抗を高めて、短絡が発生するのを防止できる。
【００３５】
請求項３の発明は、請求項１又は２の発明において、各突起の対向する部位を尖らせたことを特徴とし、請求項１又は２の発明の効果に加えて、突起の対向する部位を尖らせることによって電界集中が発生し、抵抗素子の両端間に高圧のサージ電圧が印加された際に、突起間に放電電流が流れやすくなり、抵抗素子が破損するのを確実に防止できるという効果がある。
【図面の簡単な説明】
【図１】  本発明のスイッチ用照光ブロックの基本構成を示す外観斜視図である。
【図２】  同上を用いるスイッチの一部省略せる分解斜視図である。
【図３】  同上を用いるスイッチの正面図である。
【図４】  同上を用いるスイッチの一部省略せる側面図である。
【図５】  同上を用いるスイッチの一部省略せる上面図である。
【図６】  同上を用いるスイッチの一部省略せる断面図である。
【図７】  同上を用いるスイッチのカバーを外した状態を上側から見た図である。
【図８】  同上を用いるスイッチの要部断面図である。
【図９】  同上の別のスイッチ用照光ブロックを示し、（ａ）は外観斜視図、（ｂ）は要部拡大図である。
【図１０】  スイッチ用照光ブロックの一実施形態を示す外観斜視図である。
【図１１】  同上の別のスイッチ用照光ブロックを示し、（ａ）は外観斜視図、（ｂ）は要部拡大図である。
【図１２】  同上のまた別のスイッチ用照光ブロックを示す外観斜視図である。
【図１３】  従来のスイッチ用照光ブロックを用いるスイッチの回路図である。
【符号の説明】
Ｒ１  抵抗素子
２  照光ブロック本体
３，４，５  端子片
３ａ，５ａ  接続端子
３ｂ，４ｂ  かしめ固定片
３ｃ，５ｄ  突起
４ｃ，５ｃ  接触ばね片
【図１】
0003758424.tif 000002
【図２】
0003758424.tif 000003
【図３】
0003758424.tif 000004
【図４】
0003758424.tif 000005
【図５】
0003758424.tif 000006
【図６】
0003758424.tif 000007
【図７】
0003758424.tif 000008
【図８】
0003758424.tif 000009
【図９】
0003758424.tif 000010
【図１０】
0003758424.tif 000011
【図１１】
0003758424.tif 000012
【図１２】
0003758424.tif 000013
【図１３】
0003758424.tif 000014